(57)【特許請求の範囲】
【請求項１】
コンタクトレンズの設計方法であって、
前記コンタクトレンズは、
中心部分と、前記中心部分の周囲の色付けされた虹彩部分と、前記虹彩部分の周囲の輪部リングと、前記輪部リングの内側の内径と前記輪部リングの外側の外径とを有する周辺部分と、前記コンタクトレンズが眼上かつ中央にある際、前記輪部リングの内側に、装用者の自然の虹彩に重なる前記虹彩部分及び輪部リングより明るく見える環状の効果バンドと、を備え、
前記輪部リングは、環状の色のバンドである、コンタクトレンズであって、
前記コンタクトレンズは、該コンタクトレンズが眼上かつ中央にある際、対象としているレンズ装用者の虹彩又は輪部、および鞏膜の角膜との接合部が前記輪部リングとは重ならないように設計される、
コンタクトレンズの設計方法。
【請求項２】
前記中心部分が透明である、請求項１に記載のコンタクトレンズの設計方法。
【請求項３】
前記中心部分が半透明である、請求項１に記載のコンタクトレンズの設計方法。
【請求項４】
前記虹彩部分の色付けが、あるパターンの形態である、請求項１に記載のコンタクトレンズの設計方法。
【請求項５】
前記効果バンドが、前記虹彩部分の色相と異なる色相を有する、請求項１に記載のコンタクトレンズの設計方法。
【請求項６】
前記効果バンドの色付けが、前記虹彩部分の色付けに対して異なる強度のものである、請求項１に記載のコンタクトレンズの設計方法。
【請求項７】
前記効果バンドの色付けが、前記虹彩部分の色付けの質感とは異なる質感のものである、請求項１に記載のコンタクトレンズの設計方法。
【請求項８】
前記効果バンドが半透明である、請求項１に記載のコンタクトレンズの設計方法。
【請求項９】
前記効果バンドが透明である、請求項１に記載のコンタクトレンズの設計方法。
【請求項１０】
前記効果バンドが不透明である、請求項１に記載のコンタクトレンズの設計方法。
【請求項１１】
前記虹彩部分が半透明である、請求項１に記載のコンタクトレンズの設計方法。
【請求項１２】
前記虹彩部分が透明である、請求項１に記載のコンタクトレンズの設計方法。
【請求項１３】
前記輪部リングが半透明である、請求項１に記載のコンタクトレンズの設計方法。
【請求項１４】
前記輪部リングが不透明である、請求項１に記載のコンタクトレンズの設計方法。
【請求項１５】
前記虹彩部分の色付けが不連続的である、請求項１に記載のコンタクトレンズの設計方法。
【請求項１６】
前記色付けが連続的である、請求項１に記載のコンタクトレンズの設計方法。
【請求項１７】
前記効果バンドの周囲部の少なくとも１つが不規則である、請求項１に記載のコンタクトレンズの設計方法。
【請求項１８】
請求項１から１７のいずれかに記載のコンタクトレンズの設計方法を含み、
前記色付けされた虹彩部分と、前記輪部リングと、前記効果バンドが印刷又はリトグラフ印刷される、コンタクトレンズを製造する方法。
【請求項１９】
前記色付けがパッド印刷によって適用される、請求項１８に記載の方法。
【請求項２０】
前記色付けがインクジェット印刷によって適用される、請求項１８に記載の方法。
【請求項２１】
前記色付けがフォトリソグラフィーによって適用される、請求項１８に記載の方法。
【請求項２２】
前記効果バンドが２つの異なる色を有する、請求項１に記載のコンタクトレンズの設計方法。
【発明の詳細な説明】
【背景技術】
【０００１】
コンタクトレンズを着色又は色付けすることによって眼の外観に様々な効果を与えることができる。眼の外観に関する問題を是正するため又は他の美容目的のためにこれを行うことができる。人の外観、又は更には全体的な人の外観の特定の側面を強調することが可能である。しかしながら、眼の外観になんらかの不自然な側面を更に導入することなく、こうした目的のレンズを製造することは困難である。本発明のレンズ及び方法は、自然な外観を与える一方でこのような強調効果を与えるものである。
【発明の概要】
【発明が解決しようとする課題】
【０００２】
本発明は、ハロー効果を与えるコンタクトレンズに関する。このハロー効果により、眼の全体又は虹彩を、より大きく、より色付けされ、より多彩、より明確に、又はより若く、いずれも自然に見せることによって強調された外観を眼に与えることができる。
【課題を解決するための手段】
【０００３】
本発明は、中心部分、該中心領域の周囲に配置された虹彩部分、該虹彩部分の周囲に配置された輪部リング、及び該輪部リングの周囲に配置された周辺部分を有するコンタクトレンズである。中心部分は透明である。虹彩部分は、透明、半透明、若しくは不透明の着色又は色付けされた美容パターンを有し、装用者の自然の鞏膜の一部を部分的に覆う。装用者の自然の鞏膜を覆う部分は、虹彩部分の残りの部分とは異なる色又は質感特性を有する効果バンドを形成する。輪部リングは、透明、半透明、若しくは不透明で着色又は色付けされている。輪部リングの内径は虹彩の外径の一部を部分的に覆っているか、あるいは、重なり合いがなく、輪部リングの内径が虹彩部分の外径よりも大きくなっている。効果バンドは、レンズの他の部分と協働してハロー効果を与える。ハロー効果は装用者の自然の虹彩又は輪部の外縁部であるが、輪部リングに対しては内側に現れる。
【０００４】
別の態様では、本発明は、前記中心領域及び虹彩部分が、装用者の自然の鞏膜の一部を部分的に覆う透明又は半透明の着色又は色付けされた美容パターンを有するコンタクトレンズである。装用者の自然の鞏膜を覆う部分は、虹彩部分の残りの部分とは異なる色又は質感特性を有する効果バンドを形成する。輪部リングは、透明、半透明、若しくは不透明で着色又は色付けされている。輪部リングの内径は虹彩の外径の一部を部分的に覆っているか、あるいは、重なり合いがなく、輪部リングの内径が虹彩部分の外径よりも大きくなっている。効果バンドは、レンズの他の色付け又は着色された部分と協働してハロー効果を与える。ハロー効果は、装用者の虹彩部分又は自然の輪部の外縁部であるが、レンズの輪部リングに対して内側に位置する。
【０００５】
別の態様では、本発明は透んだ中央部分及び虹彩部分を有するコンタクトレンズである。輪部リングは透明、半透明、又は不透明で着色又は色付けがなされている。輪部リングの内径は、装用者の虹彩又は自然の輪部の外径よりも大きい。輪部リング及び装用者の自然の鞏膜又は輪部は、虹彩部分の残りの部分とは異なる色又は質感特性を有する効果バンドを形成する。この効果バンドは、レンズの他の色付け又は着色された部分と協働してハロー効果を与える。ハロー効果は装用者の自然の虹彩又は輪部の外縁部であるが、輪部リングに対しては内側に位置する。
【０００６】
別の態様では、本発明は、澄んだ、又は色付けされた中央部分を有し、輪部リングを有さないコンタクトレンズである。虹彩部分は澄んでいるか、又は透明、半透明、若しくは不透明の着色又は色付けされた美容パターンを有し、装用者の自然の鞏膜の一部を部分的に覆う。装用者の自然の鞏膜を覆う部分は、虹彩部分の残りの部分とは異なる色又は質感特性を有する効果バンドを形成する。効果バンドは、装用者の虹彩部分又は自然の輪部の外縁部に位置するハロー効果を与える。
【０００７】
本発明の更なる別の態様では、効果バンドは、印刷された輪部リング又は虹彩部分よりも明るい色を有する。
【０００８】
本発明の更なる別の態様では、効果バンドは、印刷された輪部リング又は虹彩部分と似た色を有する。
【０００９】
本発明の更なる別の態様では、効果バンドは半透明、透明又は不透明である。
【００１０】
本発明の更なる別の態様では、輪部リングは半透明、透明又は不透明である。
【００１１】
本発明の更なる別の態様では、効果バンドは装用者の鞏膜の一部を覆う。
【００１２】
本発明の更なる別の態様では、効果バンドは１以上の数の印刷物の適用により作製することができる。
【図面の簡単な説明】
【００１３】
【図１】本発明に基づくコンタクトレンズの正面図。
【図２】本発明に基づく、眼上のコンタクトレンズの正面図。
【発明を実施するための形態】
【００１４】
本発明のレンズは、レンズを装用する人の眼の外観を強調する美容パターンを有する。特に本発明のレンズはハロー効果を与えるものである。「ハロー効果」とは、それぞれの場合において、自然の虹彩、自然の輪部、及び自然の鞏膜の色合い及び／又は質感と、印刷された虹彩パターン及び／又は印刷された輪部リングの色合い、質感及び／又はサイズとの相互作用によって、より大きく、より明確に、又はより多彩に見せることによって眼全体又は虹彩が強調されることである。この結果は、装用者の自然の虹彩又は装用者の自然の輪部の外側部分と、存在する場合には、印刷された輪部リングの内側部分との間の領域に重なる、特殊な色付けがされたレンズの部分によって得られる。この特殊な色付けがされた部分は、本明細書の全体を通じて「効果バンド」と呼ぶ。
【００１５】
図１に示されるレンズは通常、円形であるが、楕円形又は切断円形のようなコンタクトレンズに都合のよい任意の形状であってもよい。レンズは中心部分１０を有している。中心部分１０の周囲には虹彩部分１１が配置されている。虹彩部分１１の周囲には輪部リング１２が配置され、輪部リングの周囲には周辺部分２０が配置され、レンズの周囲の縁にまで延在している。周辺部分は内径２１、及び全体としてレンズの外縁部と必ずしもではないが一致しうる外径２２を有している。効果バンド２３が、輪部リング１２のすぐ内側に位置している。効果層は、レンズが装用されると、ハロー効果を与える。中央部分１０、輪部リング１２、虹彩部分１１、及び周辺部分２０の１つ以上は、着色されているか、又は透明であるか、又はこれらのすべてが透明ではないものとしてそれぞれの組み合わせであってよい。
【００１６】
効果バンドの見かけのサイズは、装用者の自然の虹彩のサイズ及び必要に応じて用いられる輪部リング１２のサイズによって決まる。正常な健康な眼では、虹彩のサイズの範囲は約１０．５ｍｍ〜約１３．０ｍｍであり、瞳孔の平均直径は７ｍｍ以下である。必要に応じて用いられる虹彩の印刷内径は＞７ｍｍであり、外径は＜１４．０ｍｍ、好ましくは約１２．２５ｍｍである。輪部リング１２は、レンズが眼上かつ中央にある際、レンズ装用者の虹彩又は輪部、又は鞏膜の角膜との接合部とは重ならない環状の色のバンドである。すなわち、輪部リング１２は、輪部を越えて周辺部分２０の方向に向かう。したがって、輪部リング１２の内径は、（輪部リング１２が輪部の外径よりも大きいものとして）少なくとも少なくとも１０．３ｍｍ、好ましくは約１２．２５ｍｍであり、外周部分２０の１４．０ｍｍの外径を越えないように延びる。これらの寸法は、ミリメートルの定規、又は較正したスリットランプ生体顕微鏡を用いて測定することが好ましい。これらの寸法は、画像解析又は当業者には周知の他の方法によって測定することもできる。
【００１７】
レンズのすべての着色又は色付けされた部分の色合い又は明るさの程度は、最初にレンズの像を、任意の適当な手段によって撮影することによって客観的に測定することができる。接写又は近接焦点化機構を備えた従来のカメラ、撮像機構を備えたスリットランプ生体顕微鏡などは、この目的にいずれも適したツールである。次に、撮影された画像をＡｄｏｂｅ  Ｐｈｏｔｏｓｈｏｐ  ＣＳ４又はＣ５５（アドビシステムズ社（Adobe Systems, Inc.））などの適当なソフトウェアを用いて分析する。好ましい一実施形態では、例えば、ＬＡＢシステムを用い、Ｃｏｌｏｒ  Ｗｉｎｄｏｗを用いて画像を評価することができる。これは、人の正常色覚と同様に色が特定されるという利点を有する。「Ｌ」成分は、０〜１００の範囲の明度に対応し、「Ａ」及び「Ｂ」成分は、それぞれ緑−赤軸、及び青−黄軸の色又は彩度を指定する。Ｌａｂ系については、例えば、やはりアドビシステムズ社によって公開されている「Ｐｈｏｔｏｓｈｏｐ＿ＣＳ４＿ｈｅｌｐ．ｐｄｆ」に述べられている。効果バンドは、虹彩部分に対するＬＡＢシステムのＬ成分が約５単位以上、より明るくなるように着色される。
【００１８】
図２を参照すると、中心部分１０（瞳孔部分）は正視を可能とする、澄んだ又は透明な色又は色付けを有し、必要に応じて眼の非正視に対する補正を有する。虹彩部分１１は、美容効果を与えるために澄んでいるか、着色されているか、色付けされているか、又はパターンを有している。色は透明、半透明、又は不透明でありうる。虹彩部分１１の色合いの不透明度が視力と干渉するようなものである場合、この色は、中心領域１０が位置する瞳孔に重ならないことが好ましい。しかしながら、わずかな重なりは生じうるものであり、それでも許容されうる。輪部リング１２は、装用者の自然の輪部の外側周囲部を越えて延びるが、不自然に見えるほど大きく外側周囲部を越えて鞏膜上に延びることはない。輪部リングは、澄んでいるか、着色されているか、色付けされているか、又はパターンを有している。色は透明、半透明、又は不透明でありうる。これらの目的における「不透明」とは、３８０〜７８０ｎｍの範囲における平均の光透過率（Ｔ（％））が０〜約５０、好ましくは７〜約５０Ｔ（％）である色を意味する。これらの目的における「半透明」とは、３８０〜７８０ｎｍの範囲における平均の光透過率（Ｔ（％））が約５０〜約８５％、好ましくは６５〜約８５Ｔ（％）である色を意味する。図２において、輪部リング１２の内径と装用者の自然の虹彩又は輪部２５の外径との間に位置する領域が効果バンド２３である。
【００１９】
印刷層のパターニングに応じて、効果バンド２３の外観は以下、すなわち、規則的かつ滑らか、不規則、ぎざぎざの波形、などの間で異なりうる。実際、効果バンドはわずかに楕円形であってもよく、どのような場合であっても対称的である必要はない。効果バンドは、印刷パターンのサイズ、及び装用者の自然の眼の解剖学的構造に応じて決まる寸法を有する。レンズ上に２つの色を印刷又はハンドル位置することにより、レンズが眼に装用される際に最大で５つの色調領域が得られる。
【００２０】
効果バンド２３はハロー効果に最も大きく寄与し、輪部リング、虹彩部分、及び更に装用者の自然の虹彩の位置、寸法、色、及び強度／飽和度の組み合わせによって得られる。効果バンド２３は、虹彩の残りの部分と、その色、色合いの強度、及び透明度又は半透光度に関して若干異なっている。虹彩部分１１及び効果バンド２３は同じ半透明の色を使用することができるが、このことはこれらが１つの印刷物でありうることを意味する。装用者の自然の虹彩の他の眼に見える構造はこうしたパターンによって完全に覆われないため、他の眼に見える構造とパターンは混じり合うことができる。米国特許第７，８３２，８６０号が、この種のパターンの１つのこうした例を与えており、当該特許を本明細書に援用する。効果バンド２３の配置及び強度は、効果バンド２３が自然の鞏膜と混じり合ってレンズのわずかに明るい、又は弱く着色された部分を与えるようなものであることが最も好ましい。好ましい一実施形態では、眼の強調効果は、正常な眼又は矯正視力を有する眼に、１．５２ｍ（５フィート）以下、より好ましくは０．９１ｍ（３フィート）以下の距離から見ることができる。虹彩部分１１が不透明である場合、効果バンド２３は、装用された状態に全体の虹彩の外観を単純に大きくする。これにより、虹彩領域は、より大きく、より明確に見え、着色レンズ及び輪部リングのみを有するパターンと比較してもより大きく見える。
【００２１】
一実施形態では、ハロー効果は、輪部リング１２の有無によらず、虹彩部分１１に不透明又は半透明の色を用いた場合に眼を大きく見せる。別の実施形態では、ハロー効果は、眼の表面から自然に反射する光に似ている。別の実施形態では、ハロー効果は眼の虹彩部分のみを大きく見せる。別の実施形態では、ハロー効果は、輪部リング１２のみを有する場合と比較して、眼の自然の虹彩部分を更に大きく見せる。
【００２２】
虹彩部分１１又は効果バンド２３の一方又は両方における設計のパターンの種類もまた、ハロー効果に寄与しうる。いずれかにドットを組み込むことは、効果バンド及び虹彩部分の両方において色相及び色強度の効果的な組み合わせを実現する効果的な方法の１つである。下記に述べるように、ハロー効果は、顔料又は着色の種類、及びそれが適用される方法によっても影響される。
【００２３】
レンズの周辺部分２０は、透明、不透明、半透明、又はこれら２つの中間（半不透明）であってもよい。周辺部分は、均一に着色される必要は必ずしもないが、本発明に基づく実施形態は、好ましくは強膜に新鮮な自然な外観を与えることによってその外観を向上させる。
【００２４】
虹彩部分及び輪部リングは、米国特許第７，２４６，９０３号と同様の方法で、ただし本明細書に述べるような寸法でパターン化されることが好ましい。当該特許を本明細書に援用する。このようなパターン化は、必要に応じて、効果バンドの最も内側の部分からレンズの幾何学的中心に向かって内側に延びる、タイヤのスポークに似たほぼ三角形状の構造を有する。このようなテーパ状スポークは、レンズの虹彩部分の全体、すなわち、レンズが眼上で中心に位置する際に虹彩と重なるレンズの部分を覆って延びてもよいが、そうではないことが好ましい。
【００２５】
本発明のコンタクトレンズは安定化させることができる。これは、回転安定化に対する周知の安定化法のいずれによって行うこともできる。例えば、有用な出発点としての安定化のための設計の１つが、本明細書に援用する米国特許出願公開第２００５０２３７４８２号に述べられているが、任意の安定化設計を使用することができる。
【００２６】
一般的に、着色された要素は、コンタクトレンズにおける使用に適した任意の有機若しくは無機顔料、又はこれらの顔料の組み合わせから製造することができる。不透明度は、二酸化チタンを添加することによって、及び／又は、顔料の濃度を変化させることによって制御することが可能であり、高濃度の顔料では不透明度は高くなる。例示的な有機顔料としては、これらに限定されるものではないが、フタロシアニンブルー、フタロシアニングリーン、カルバゾールバイオレット、バットオレンジ１号など、及びそれらの組み合わせが挙げられる。有用な無機顔料の例としては、これらに限定されるものではないが、黒酸化鉄、褐色酸化鉄、黄酸化鉄、赤酸化鉄、二酸化チタンなど、及びそれらの組み合わせが挙げられる。これらの顔料に加えて、ジクロロトリジアン及びビニルスルホン系染料を含む可溶性及び不溶性染料をこれらに限定されることなく使用することができる。液晶添加剤を使用して様々な効果を与えることもできる。有用な染料、顔料、及び添加剤は市販されている。
【００２７】
選択された染料又は顔料を、プレポリマー、又は結合剤ポリマー、及び溶媒の１以上と組み合わせることによって、本発明のレンズに使用される透明、半透明、及び不透明の層を製造するために使用される着色剤を形成することができる。また、コンタクトレンズの着色剤において有用な他の添加剤を使用することもできる。このような結合剤ポリマー、溶媒、及び本発明の着色層において有用な他の添加剤は周知のものであり、市販されているか又はその製造方法が知られている。
【００２８】
各要素は、レンズの１以上の表面に塗布又は印刷するか、又は成形型の１以上の表面に印刷し、この成形型にレンズ成形材料を付着、硬化させてもよい。本発明の設計を取り入れたレンズを形成するための好ましい一方法では、環式ポリオレフィン、及びポリプロピレン又はポリスチレン樹脂等のポリオレフィンを含むがこれら限定されない任意の適当な材料で形成された熱可塑性光学成形型が使用される。各要素は、成形型の成形面の所望の部分に付着させる。「成形面」とは、レンズの表面を形成するために使用される成形型又は成形型の半分の表面を意味する。この付着は、以下のようにパッド印刷によって行うことが好ましい。
【００２９】
好ましくは鋼、より好ましくはステンレス鋼でできた金属プレートを、硬化後に非水不溶性となるフォトレジスト材料で覆う。プレートは、セラミック材料で形成されてもよい。前記要素を選択又は設計し、次いで写真技術などの多くの技術のいずれかを用いて所望のサイズに縮小し、金属プレート上に置き、フォトレジスト材料を硬化する。
【００３０】
この後、プレートを水溶液で洗浄し、得られた像を適当な深さ、例えば、約２０マイクロメートルまでエッチングする。また、レーザーアブレーション又はキャビテーションによってプレートにパターンを適用することもできる。
【００３１】
次に、結合剤ポリマー、溶媒、及び顔料又は染料を含有する着色剤を各要素に付着され、凹部を着色剤で充填する。表面への印刷に使用するうえで適した幾何形状を有し、概ね約１〜約１０の異なる硬度を有するシリコーンパッドを、プレート上の像に押し付けて着色剤を取り去り、次いでこの着色剤を溶媒の蒸発によってわずかに乾燥させる。次にパッドを光学成形型の成形面に押し付ける。次に相補的なモールド半部を使用して完全な成形型アセンブリとし、この成形型アセンブリを、使用されるレンズ材料を硬化させるのに適した条件に曝す。こうした条件は当該技術分野では周知のものであり、選択されるレンズ材料によって決まる。硬化が完了し、レンズを成形型から外した後、レンズを緩衝生理食塩水中で平衡化する。
【００３２】
好ましい一実施態様では、透明なプレポリマー層を使用し、このプレポリマー層を顔料添加した領域上に重ね、好ましくは、レンズの最も外側の表面全体又は一部を形成する。インクジェット印刷により、本発明の美容パターンを適用することも可能である。インクジェット印刷は透明なプレポリマー層に適用するか、又はレンズ成形型に直接適用することができる。
【００３３】
本発明を用いて、非矯正（度なし）、球面、トーリック、又は多焦点設計を含む、任意の公知の光学設計で製造された色付きハード又はソフトコンタクトレンズを提供することができる。また、本発明を用いて、任意の公知のレンズ形成材料、又はこうしたレンズの製造に適した材料で形成された色付きハード又はソフトコンタクトレンズを提供することもできる。本発明のレンズは好ましくはソフトコンタクトレンズであり、レンズを形成するために選択される材料は、ソフトコンタクトレンズの製造に適した任意の材料である。本発明の方法を用いてソフトコンタクトレンズを形成するうえで適した好ましい材料としては、これらに限定されるものではないが、シリコーンエラストマー、これらの全容を本願に援用するところの米国特許第５，３７１，１４７号、同第５，３１４，９６０号、及び同第５，０５７，５７８号に開示されるものを含むが、これらに限定されないシリコーン含有マクロマー、ヒドロゲル、シリコーン含有ヒドロゲルなど、並びにそれらの組み合わせが挙げられる。より好ましくは、レンズは、ポリジメチルシロキサンマクロマー、メタクリルオキシプロピルポリアルキルシロキサン、及びこれらの混合物を含むがそれらに限定されないシロキサン官能基を有する材料、シリコーンヒドロゲル、又は水酸基、カルボキシル基若しくはその両方を有するモノマーで形成されたヒドロゲル、及びそれらの組み合わせから形成される。ソフトウェアコンタクトレンズを製造するための材料は周知のものであり、市販されている。レンズ材料としては、アクアフィルコン、エタフィルコン、ゲンフィルコン、レネフィルコン、バラフィルコン、ロトラフィルコン、又はガリフィルコンが好ましい。レンズは、パッキング溶液中に添加剤を用いることによって更に向上させることができる。このような添加剤の１つの例として、ポリビニルピロリジンがある。
【００３４】
本発明を以下の非限定的な実施例において更に説明する。
【実施例】
【００３５】
実施例１：透明なベースインク組成物の調製
９６ｇの１−ドデカンチオール（「ＤＯＤＴ」）、５６．５４ｇのメタクリル酸ラウリル（「ＬＭＡ」）、７．４０ｇのメタクリル酸（「ＭＡＡ」）、１３６７ｇのヒドロキシエチルメタクリレート（「ＨＥＭＡ」）、６８．５ｇのグリセリン、３７８ｇの１−エトキシル−２−プロパノール（「ＥＰ」）、１５１１ｇのイソプロピルラクテート（「ＩＰＬ」）、及び８．８９ｇの２，２’−アゾビス（２−メチルブチロニトリル）（「ＡＭＢＮ」）を用いて結合ポリマーを調製した。最初に、約５０〜１００ｃｃのＩＰＬ以外の、ＤＯＤＴ、各モノマー及び溶剤を５Ｌのブルーキャップボトル内で混合し、１０分間撹拌した。次いでこの混合物を攪拌子及び窒素とともに５Ｌのステンレス鋼反応容器に注ぎ入れた。混合物を、温度が６８℃になるまで、約２５分間攪拌、加熱した。６８℃で温度を安定させた後、ＡＭＢＮを残りのＩＰＬに溶かし、窒素ブリードを開きながら添加した。１６〜２４時間重合を進行させた後、温度を８０℃に昇温して反応を終了させた。次いで、混合物を室温に平衡化させた。混合物の粘度を、４部のＩＰＬを１部のＥＰと混合することによって必要に応じて調節した。
【００３６】
実施例２：黒い輪部インクの調製
透明なベース（実施例１で述べたもの）に加えた５３．１２ｇのプライマリーブラック（３３．２１重量％の黒酸化鉄顔料ＦｅＯ・Ｆｅ２Ｏ３、ＣＡＳ番号１２２２７−８９−３からなるもの）を２５０ｍＬのガラスジャーに秤量することによって黒パッド印刷インクを調製した。９６．８８ｇの透明なベース（実施例１で述べたもの）及び６重量％の１−プロパノールもジャーに加えた。ジャーをミキサーにかけ、インクの外観が均一となるまで１８００ｒｐｍで混合した。
【００３７】
実施例３：虹彩インクの調製
透明なベース（実施例１で述べたもの）に加えた１３．９５ｇのプライマリーブラック（６．４５重量％のフタロシアニングリーン顔料Ｃ３２ＨＣｌ１４ＣｕＮ８、ＣＡＳ番号１３２８−５３−６からなるもの）を２５０ｍＬのガラスジャーに秤量することによって緑パッド印刷インクを調製した。１３６．０５ｇの透明なベース（実施例１で述べたもの）及び６重量％の１−プロパノールもジャーに加えた。ジャーをミキサーにかけ、インクの外観が均一となるまで１８００ｒｐｍで混合した。
【００３８】
実施例４：虹彩インクの調製
透明なベース（実施例１で述べたもの）に加えた７４．８８ｇのプライマリーＨＴイエロー（２５％の黄酸化鉄顔料Ｆｅ２Ｏ３・Ｈ２Ｏ、ＣＡＳ番号５１２７４−００−１からなるもの）、６．９８ｇのプライマリーグリーン（６．４５重量％のフタロシアニングリーン顔料Ｃ３２ＨＣｌ１４ＣｕＮ８、ＣＡＳ番号１３２８−５３−６からなるもの）、及び０．２６ｇのプライマリーイエロー（２８．７４重量％の黄酸化鉄顔料Ｆｅ２Ｏ３・Ｈ２Ｏ、ＣＡＳ番号５１２７４−００−１からなるもの）を２５０ｍＬのガラスジャーに秤量することによって緑パッド印刷インクを調製した。６８．１２ｇの透明なベース（実施例１で述べたもの）及び６重量％の１−プロパノールもジャーに加えた。ジャーをミキサーにかけ、インクの外観が均一となるまで１８００ｒｐｍで混合した。
【００３９】
実施例５：虹彩インクの調製
透明なベース（実施例１で述べたもの）に加えた２．１３ｇのプライマリーブルー（６．４５重量％のフタロシアニンブルー顔料Ｃ３２Ｈ１６ＣｕＮ８、ＣＡＳ番号１４７−１４−８）、２．４４ｇのプライマリーＨＴイエロー（２５％の黄酸化鉄顔料Ｆｅ２Ｏ３・Ｈ２Ｏ、ＣＡＳ番号５１２７４−００−１）、及び１０．０１ｇのプライマリーホワイト（３０重量％の二酸化チタン白顔料ＴｉＯ２  ＣＡＳ  ＃  １３４６３−６７−７）を２５０ｍＬのガラスジャーに秤量することによって青、黄、及び白パッド印刷インクを調製した。１３５．３８ｇの透明なベース（実施例１で述べたもの）及び６重量％の１−プロパノールもジャーに加えた。ジャーをミキサーにかけ、インクの外観が均一となるまで１８００ｒｐｍで混合した。
【００４０】
実施例６：効果バンドを有する美容パターンを有するレンズの作製（予測的）
凹形の成形型部分と凸型の成形型部分を周囲条件下（２１％酸素、２５℃）でポリスチレンから射出成形する。凹形の成形型部分をパッドプリンタ内部の乾燥窒素トンネルに入れる（約１８０秒間）。凹状の曲線を、０．５％酸素で、最初に深さ１５μｍの完全な円（外径１４．５０ｍｍ）の透明なベースインク組成物（実施例１で述べたもの）、次いで２０μｍの黒インク組成物（実施例２で述べたもの）を用いてパッド印刷した。輪部リング１２は、外径約１４．０ｍｍ、内径１２．０ｍｍの図１のものとすることができる。最後の印刷を、深さ２０μｍの虹彩部分１１のインク組成物（実施例３、４又は５で述べたもの）により行う。パターンは、外径約１２．２５ｍｍ、内径７．８０ｍｍの図１のものとすることができる。次いで鋳型を周囲条件（２１％酸素、２５℃）に約２０秒間戻す。凹状及び凸状の曲線を、２．８％酸素で約７０秒間再調整する。次に、印刷された凹部成形型部分に７３ｍｇのエタフィルコンＡ反応性モノマー混合物を充填する。凸部成形型部分を充填した反応性モノマーミックスの上に置き、前硬化重量（約２００グラム）をかけて成形型を適切に閉鎖する。前硬化重量をかけたアセンブリを、２５℃の前硬化トンネル内に無光条件下で７５秒間入れて、モノマーを印刷層に浸透させる。前硬化重量を取り除き、次に各曲線を、制御された温度（７０℃）及び光強度（３７０〜４４０ｎｍ）を有する硬化トンネル内に約４分間入れた。閉じたアセンブリを型から外し、レンズを成形型から取り出し、脱イオン水とＴｗｅｅｎの組み合わせに最低６０分間、７０℃（＋／−５℃）浸漬することによりレンズから未硬化のモノマー又は希釈剤をすべて抽出した。次にレンズを緩衝生理食塩水中で平衡化し、パッケージし、滅菌した。
【００４１】
この結果、内径が平均の自然の虹彩のサイズよりもわずかに大きい輪部リング１２を有する美容レンズが得られる。この輪部リング１２は半透明の黒色である。虹彩部分１１は、輪部層１２から瞳孔領域１０に向かって延び、瞳孔領域１０を覆わない。虹彩部分１１は、半透明又は透明の着色剤からなり、印刷された輪部リング１２と装用者の自然の虹彩との間の鞏膜領域を覆う。この印刷された虹彩部分１１は、装用者の自然の白い鞏膜と半透明又は透明な印刷された虹彩部分１１との混じり合いのために自然に明るくなる。結果として生じる効果は、虹彩の周りにより明るいハロー効果バンドを有する暗い輪部、更に、自然の虹彩の全体又は一部を覆う着色領域である。眼に装用すると、レンズを装用しない場合と比較して、装用者の眼はより大きく、より多彩に見える。
【００４２】
〔実施の態様〕
（１）  中心部分と、前記中心領域の周囲の色付けされた虹彩部分と、前記虹彩部分の周囲の輪部リングと、前記輪部リングの周囲の周辺部分と、前記輪部リングの内側に見える効果バンドと、を備える、コンタクトレンズ。
（２）  前記中心領域が透明である、実施態様１に記載のレンズ。
（３）  前記中心領域が半透明である、実施態様１に記載のレンズ。
（４）  前記虹彩領域の色付けが、あるパターンの形態である、実施態様１に記載のレンズ。
（５）  前記効果バンドが、前記虹彩領域の色相と異なる色相を有する、実施態様１に記載のレンズ。
【００４３】
（６）  前記効果バンドの色付けが、前記虹彩領域の色付けに対して異なる強度のものである、実施態様１に記載のレンズ。
（７）  前記効果バンドの色付けが、前記虹彩領域の色付けの質感とは異なる質感のものである、実施態様１に記載のレンズ。
（８）  前記効果バンドが半透明である、実施態様１に記載のレンズ。
（９）  前記効果バンドが透明である、実施態様１に記載のレンズ。
（１０）  前記効果バンドが不透明である、実施態様１に記載のレンズ。
【００４４】
（１１）  前記虹彩部分が半透明である、実施態様１に記載のレンズ。
（１２）  前記虹彩部分が透明である、実施態様１に記載のレンズ。
（１３）  前記輪部リングが半透明である、実施態様１に記載のレンズ。
（１４）  前記輪部リングが透明である、実施態様１に記載のレンズ。
（１５）  前記輪部リングが不透明である、実施態様１に記載のレンズ。
【００４５】
（１６）  前記虹彩部分の色付けが不連続的である、実施態様１に記載のレンズ。
（１７）  前記色付けが連続的である、実施態様１に記載のレンズ。
（１８）  前記輪部リングの外側周囲部が、レンズ装用者の鞏膜に重なる、前記レンズ上の位置にある、実施態様１に記載のレンズ。
（１９）  前記輪部リングの内側周囲部が、レンズ装用者の鞏膜に重なる、前記レンズ上の位置にある、実施態様１に記載のレンズ。
（２０）  前記効果層の周囲部の少なくとも１つが不規則である、実施態様１に記載のレンズ。
【００４６】
（２１）  中心部分と、前記中心部分の周囲の色付けされた虹彩部分と、前記虹彩部分の周囲の輪部リングと、前記輪部リングの周囲の周辺部分と、装用者の自然の虹彩と前記輪部リングとの間の色付けされた効果バンドと、を備える、コンタクトレンズを製造するための方法であって、前記色付けされた虹彩部分と、輪部リングと、効果バンドが印刷又はリトグラフ印刷される、方法。
（２２）  前記色付けがパッド印刷によって適用される、実施態様２１に記載の方法。
（２３）  前記色付けがインクジェット印刷によって適用される、実施態様２１に記載の方法。
（２４）  前記色付けがフォトリソグラフィーによって適用される、実施態様２１に記載の方法。
（２５）  眼にハロー効果を生じることによって眼の外観を強調する方法。
【００４７】
（２６）  前記ハロー効果が、コンタクトレンズに効果バンドを設けることによって生じる、実施態様２５に記載の方法。
（２７）  前記レンズが、中心領域と、前記中心領域の周囲の色付けされた虹彩領域と、前記虹彩領域の周囲の輪部リングと、前記輪部リングの周囲の周辺領域と、前記虹彩領域と前記輪部リングとの間の色付けされた効果バンドと、を備える、実施態様２５に記載の方法。
（２８）  前記効果バンドが２つの異なる色を有する、実施態様１に記載のレンズ。
（２９）  前記ハロー効果が３つの異なる色調を含む、実施態様２５に記載の方法。
（３０）  前記ハロー効果は、眼の表面から自然に反射する光に似た美容上の結果を実現し得る、実施態様２５に記載の方法。
【図１】
0006419416.tif 000002
【図２】
0006419416.tif 000003